(57)【要約】【課題】  観光ガイドブックに表示されない他の詳細な観光ガイド情報や地図情報を容易に見れるようにするともとに、各種情報量の飛躍的な拡大，取扱性及び携帯性の向上，製作する際のコストダウンを図る。【解決手段】  所定の紙面Ｐｎに少なくとも観光ガイド情報Ｆａ…を含む一又は二以上の観光ガイド表示部２ａ…を表示してなる観光ガイドブック１を構成するに際して、観光ガイド表示部２ａ…の一部に、ＱＲコードを表示するためのＱＲコード表示エリアＡａ…を設け、このＱＲコード表示エリアＡａ…に当該ＱＲコード表示エリアＡａ…を設けた観光ガイド表示部２ａ…に対応し、かつ少なくとも地図情報Ｆｍ…を含むガイド情報ＷＥＢサイト２１ａ…にアクセスするための固有のＱＲコード３ａ…をそれぞれ表示する。【選択図】  図１
0003136722.tif 000002
【実用新案登録請求の範囲】
【請求項１】
所定の紙面に少なくとも観光ガイド情報を含む一又は二以上の観光ガイド表示部を表示してなる観光ガイドブックにおいて、前記観光ガイド表示部の一部に、ＱＲコードを表示するためのＱＲコード表示エリアを設け、このＱＲコード表示エリアに当該ＱＲコード表示エリアを設けた観光ガイド表示部に対応し、かつ少なくとも地図情報を含むガイド情報ＷＥＢサイトにアクセスするための固有のＱＲコードをそれぞれ表示してなることを特徴とする観光ガイドブック。
【請求項２】
前記地図情報は、前記ガイド情報ＷＥＢサイトのサイト画面に表示され、かつクリックすることによりアクセスされる地図情報ＷＥＢサイトに係わるリンクであることを特徴とする請求項１記載の観光ガイドブック。
【考案の詳細な説明】
【技術分野】
【０００１】
本考案は、所定の紙面に少なくとも観光ガイド情報を含む一又は二以上の観光ガイド表示部を表示してなる観光ガイドブックに関する。
【背景技術】
【０００２】
一般に、各地の観光名所等を案内するための観光ガイドブック（旅行ガイドブック）は各種発行されており、通常、旅行者は観光ガイドブックに掲載されている観光ガイド情報や地図情報を参考にして訪れたい場所を決めたり実際に訪れているのが実情である。
【０００３】
従来、このような観光ガイドブックとしては、特開２００５−３４５８６３号公報で開示されるガイドブックが知られている。このガイドブックは、複数のページを有するガイドブックであって、このガイドブックと幅の等しい幅の通常ページと、このガイドブックの縦方向と平行にのみ折りたたまれ収納されている、当該通常ページよりも幅の広い幅広ページとを有し、この幅広ページに、当該幅広ページを開いた場合に通常ページの幅よりも小口方向に離れた領域に、通常ページに記載された案内情報が案内する事物に係る地図が、当該案内情報と対応されて記載され、これにより、取り扱い性よく、全体図と各ページの地図とを同時に見渡せるようにしたものである。
【特許文献１】特開２００５−３４５８６３号
【考案の開示】
【考案が解決しようとする課題】
【０００４】
しかし、上述した従来のガイドブックは、次のような問題点があった。
【０００５】
第一に、本来ガイドブックは、旅行者が携帯することが多いため、ある程度の携帯性が確保されつつ、できるだけ情報量の多いことが望ましい。しかし、上述した従来のガイドブックでは、折りたたまれ収納されているページが含まれることから必ずしも取り扱い性がよいとは言えないとともに、携帯性も犠牲にならざるを得ない。しかも、ガイドブックを製作する際のコストアップ要因も無視できない。
【０００６】
第二に、基本的にはガイドブック上おける改善であるため、旅行者がガイドブックから得られる情報は限られ、特に、地図に関しては、案内情報と地図を同時に見渡せるように改善しても、新しい道路や新しい建物が頻繁に追加される現状では、その有効性においても限界があり、多機能性，利便性及び発展性において十分とは言えない。
【０００７】
本考案は、このような背景技術に存在する課題を解決した観光ガイドブックの提供を目的とするものである。
【課題を解決するための手段】
【０００８】
本考案は、上述した課題を解決するため、所定の紙面Ｐｎに少なくとも観光ガイド情報Ｆａ…を含む一又は二以上の観光ガイド表示部２ａ…を表示してなる観光ガイドブック１を構成するに際して、観光ガイド表示部２ａ…の一部に、ＱＲコードを表示するためのＱＲコード表示エリアＡａ…を設け、このＱＲコード表示エリアＡａ…に当該ＱＲコード表示エリアＡａ…を設けた観光ガイド表示部２ａ…に対応し、かつ少なくとも地図情報Ｆｍ…を含むガイド情報ＷＥＢサイト２１ａ…にアクセスするための固有のＱＲコード３ａ…をそれぞれ表示してなることを特徴とする。
【０００９】
この場合、考案の好適な態様により、地図情報Ｆｍ…には、ガイド情報ＷＥＢサイトのサイト画面２１ｎｖ…に表示され、かつクリックすることによりアクセスされる地図情報ＷＥＢサイト２２に係わるリンク２２Ｌｍ…を利用することができる。
【考案の効果】
【００１０】
このような構成を有する本考案に係る観光ガイドブック１によれば、次のような顕著な効果を奏する。
【００１１】
（１）  観光ガイド表示部２ａ…の一部に、この観光ガイド表示部２ａ…に対応し、かつ少なくとも地図情報Ｆｍ…を含むガイド情報ＷＥＢサイト２１ａ…にアクセスするための固有のＱＲコード３ａ…をそれぞれ表示してなるため、携帯電話等を利用して、観光ガイド表示部２ａ…（観光ガイドブック１）に表示されない他の詳細な観光ガイド情報や地図情報Ｆｍ…を容易に見ることができる。したがって、情報を掲載するに際して、異なる二つのメディアに振り分け可能になるため、各種情報量の飛躍的な拡大を実現しつつ、観光ガイドブック１自体の取扱性及び携帯性をより高めることができ、しかも、観光ガイドブック１を製作する際のコストダウンにも寄与できる。
【００１２】
（２）  好適な態様により、地図情報Ｆｍ…に、ガイド情報ＷＥＢサイトのサイト画面２１ｎｖ…に表示され、かつクリックすることによりアクセスされる地図情報ＷＥＢサイト２２に係わるリンク２２Ｌｍ…を利用すれば、地図情報ＷＥＢサイト２２を利用するメリット、例えば、随時更新される最新の地図情報や目的地へのナビゲーション機能などを利用できるメリットを享受することができ、多機能性，利便性及び発展性をより高めることができる。
【考案を実施するための最良の形態】
【００１３】
次に、本考案に係る最良の実施形態を挙げ、図面に基づき詳細に説明する。
【００１４】
まず、本実施形態に係る観光ガイドブック１の構成について、図１〜図３を参照して説明する。
【００１５】
観光ガイドブック１は、複数の紙葉が綴じられた一冊の本であり、図１に示すように、所定の紙面Ｐｎには、一又は二以上の観光ガイド表示部２ａ…を表示する。例示の場合、六つの観光ガイド表示部２ａ，２ｂ，２ｃ，２ｄ，３ｅ，２ｆが表示されており、各観光ガイド表示部２ａ，２ｂ…２ｆには、一又は二以上の写真，名称や説明文（ガイド文），時間・料金・問合先等の各種データからなる観光ガイド情報Ｆａ，Ｆｂ，Ｆｃ…Ｆｆが含まれる。
【００１６】
また、本考案に従って、各観光ガイド表示部２ａ，２ｂ…２ｆにおけるそれぞれの一部、例示の場合、各観光ガイド表示部２ａ，２ｂ…２ｆの右上角部に、ＱＲコードを表示するためのＱＲコード表示エリアＡａ，Ａｂ…Ａｅ，Ａｆを確保し、このＱＲコード表示エリアＡａ，Ａｂ…Ａｆに、それぞれ固有のＱＲコード３ａ…３ｆを表示する。各ＱＲコード３ａ…は、各ＱＲコード表示エリアＡａ…を設けた各観光ガイド表示部２ａ…に対応した固有のものであり、それぞれ固有のデータが記録されている。通常、観光ガイドブック１に掲載される一冊当たりの物件数（観光ガイド表示部２ａ…の数）は、４００〜８００件程度となるが、基本的に、ＱＲコード３ａ…は全ての観光ガイド表示部２ａ…に対応して設ける。
【００１７】
一方、ＱＲコード３ａ…は、図２に示すように携帯電話５５に内蔵するカメラ（デジタルカメラ）５５ｃにより撮影することができる。同図には、ＱＲコード３ａ…を携帯電話５５により撮影し、ＱＲコード３ａ…に記録されているデータを取り込んだ際の処理系５０を示している。５１はインターネットであり、このインターネット５１には、観光ガイド情報ＷＥＢサーバ（サーバコンピュータ）５２が接続されるとともに、地図情報ＷＥＢサーバ（サーバコンピュータ）５３が接続される。観光ガイド情報ＷＥＢサーバ５２には、多数のガイド情報ＷＥＢサイト２１ａ…に係わる情報データベース５２ｂが付属し、また、地図情報ＷＥＢサーバ５３には、地図情報地図情報ＷＥＢサイト２２に係わるデータベースが付属する。なお、その他、５６は携帯電話５５をインターネット５１に接続する基地局を示している。
【００１８】
次に、本実施形態に係る観光ガイドブック１の具体的な使用方法について、図１〜図３を参照しつつ図４に示すフローチャートに従って説明する。
【００１９】
まず、前述した観光ガイドブック１、即ち、図１に示すように、ＱＲコード３ａ…を設けた観光ガイドブック１を発行する（ステップＳ１）。したがって、利用者は、所定の観光ガイドブック１を購入し、例えば、観光旅行に行く際には、通常の観光ガイドブックと同様に携帯する。
【００２０】
今、利用者が観光ガイドブック１に掲載されている観光ガイド表示部２ａ…を見て、興味のある場所、例えば、食事をしようとして観光ガイドブック１に掲載されている人気のレストランを選んだ場合を想定する（ステップＳ２）。図２に示す観光ガイドブック１は、このレストランに係わる観光ガイド情報Ｆｎが表示された観光ガイド表示部２ｎを示している。なお、利用者は、この観光ガイド情報Ｆｎにより、お店の雰囲気や営業時間等のある程度の情報を得ることができる。
【００２１】
一方、利用者は、さらに、観光ガイド表示部２ｎの右上角部に表示されているＱＲコード３ｎを利用し、この観光ガイド表示部２ｎに対応する、より詳しい情報を容易に知ることができる。この場合、まず、利用者は、図２に示すように、携帯電話５５に内蔵するカメラ５５ｃによりＱＲコード３ｎを撮影する（ステップＳ３）。これにより、ＱＲコード３ｎに記録されているデータが携帯電話５５に取り込まれるとともに、対応するガイド情報ＷＥＢサイトにアクセスされる（ステップＳ４）。そして、携帯電話５５のディスプレイ５５ｄには、図３（ａ）に示す、対応するサイト画面２１ｎｖが表示される（ステップＳ５）。
【００２２】
このサイト画面２１ｎｖには、例えば、各種写真や詳細情報をはじめ、特に、観光ガイドブック１には掲載できない当日のスペシャルメニューや随時更新される口コミ情報等を閲覧することができる。また、サイト画面２１ｎｖには、対応する地図情報Ｆｍが表示される。例示する地図情報Ｆｍは、図３（ａ）に示すように、クリックすることによりアクセスされる地図情報ＷＥＢサイト２２に係わるリンク「リアル地図」２２Ｌｍである。したがって、利用者は、サイト画面２１ｎｖに表示されるリンク「リアル地図」２２Ｌｍをクリックする（ステップＳ６）。これにより、地図情報ＷＥＢサイト２２にアクセスされ、携帯電話５５のディスプレイ５５ｄには、図３（ｂ）に示す地図２２ｍが表示される（ステップＳ７，Ｓ８）。地図２２ｍには対応するレストランがランドマーク３１により表示されるとともに、表示される地図２２ｍは、ランドマーク３１の周辺地図となる。
【００２３】
よって、利用者は、この地図２２ｍを利用して目的のレストランまで行くことができる。ところで、本実施形態における地図情報Ｆｍは、観光ガイド情報ＷＥＢサーバ５２とは異なる地図情報ＷＥＢサーバ５３にアクセスし、この地図情報ＷＥＢサーバ５３における地図情報を利用している。地図情報に係わるサービス提供者は、通常、観光ガイド情報とは異なるサービス提供者となるため、地図情報ＷＥＢサイト２２を利用するメリット、例えば、随時更新される最新の地図情報や目的地へのナビゲーション機能などを利用できるメリットを享受でき、多機能性，利便性及び発展性をより高めることができる。
【００２４】
さらに、ＧＰＳ機能付の携帯電話５５を用いた場合には、図３（ｃ）に示すように、目的地までのナビゲーション機能Ｎａを利用することもできる。即ち、地図２２ｍに表示されているランドマーク（レストラン）３１にゴールマーク（目的地）３３を設定すれば、スタートマーク（現在地）３２からナビゲーションルート３４が表示されるため、このナビゲーションルート３４に従って、利用者は、音声等によりナビゲートされる（ステップＳ９，Ｓ１０）。
【００２５】
このように、本実施形態に係る観光ガイドブック１によれば、観光ガイド表示部２ａ…の一部に、この観光ガイド表示部２ａ…に対応し、かつ少なくとも地図情報Ｆｍ…を含むガイド情報ＷＥＢサイト２１ａ…にアクセスするための固有のＱＲコード３ａ…をそれぞれ表示してなるため、携帯電話等を利用して、観光ガイド表示部２ａ…（観光ガイドブック１）に表示されない他の詳細な観光ガイド情報や地図情報Ｆｍ…を容易に見ることができる。したがって、情報を掲載するに際して、異なる二つのメディアに振り分け可能になるため、各種情報量の飛躍的な拡大を実現しつつ、観光ガイドブック１自体の取扱性及び携帯性をより高めることができ、しかも、観光ガイドブック１を製作する際のコストダウンにも寄与できる。
【００２６】
以上、最良の実施形態について詳細に説明したが、本考案は、このような実施形態に限定されるものではなく、細部の構成，形状，数量等において、本考案の要旨を逸脱しない範囲で、任意に変更，追加，削除することができる。
【００２７】
例えば、観光ガイドブック１は、複数の紙葉が綴じられた一冊の本が基本となるが、紙葉の枚数は特に問わない。また、地図情報Ｆｍには、ガイド情報ＷＥＢサイトのサイト画面２１ｎｖに表示され、かつクリックすることによりアクセスされる地図情報ＷＥＢサイト２２に係わるリンク２２Ｌｍを利用する場合を例示したが、観光ガイド情報ＷＥＢサーバ５２から提供される提供される地図（地図情報）を利用してもよい。なお、携帯電話５５には、携帯情報端末（ＰＤＡ）やモバイルコンピュータ等の携帯用の各種コンピューティング装置を含む概念である。
【図面の簡単な説明】
【００２８】
【図１】本考案の最良の実施形態に係る観光ガイドブックにおける所定の紙面におけるレイアウト図、
【図２】同観光ガイドブックに設けたＱＲコードに記録されているデータを携帯電話に取り込んだ際の処理系を示す構成図、
【図３】同携帯電話のディスプレイに表示される画面図、
【図４】同観光ガイドブックの使用方法を説明するためのフローチャート、
【符号の説明】
【００２９】
１：観光ガイドブック，２ａ…：観光ガイド表示部，３ａ…：ＱＲコード，２１ａ…：ガイド情報ＷＥＢサイト，２１ｎｖ…：サイト画面，２２：地図情報ＷＥＢサイト，２２Ｌｍ：リンク，Ｐｎ：所定の紙面，Ａａ…：ＱＲコード表示エリア，Ｆａ…：観光ガイド情報，Ｆｍ：地図情報
【図２】
0003136722.tif 000003
【図３】
0003136722.tif 000004
【図４】
0003136722.tif 000005
【図１】
0003136722.tif 000006
【手続補正書】
【提出日】平成19年7月26日(2007.7.26)
【手続補正１】
【補正対象書類名】実用新案登録請求の範囲
【補正対象項目名】全文
【補正方法】変更
【補正の内容】
【実用新案登録請求の範囲】
【請求項１】
所定の紙面に少なくとも観光ガイド情報を含む一又は二以上の観光ガイド表示部を表示してなる観光ガイドブックにおいて、前記観光ガイド表示部の角部に、ＱＲコード（登録商標）を表示するためのＱＲコード表示エリアを設け、このＱＲコード表示エリアに当該ＱＲコード表示エリアを設けた観光ガイド表示部に対応し、かつ少なくとも地図情報を含むガイド情報ＷＥＢサイトにアクセスするための固有のＱＲコードをそれぞれ表示してなることを特徴とする観光ガイドブック。
【手続補正２】
【補正対象書類名】明細書
【補正対象項目名】全文
【補正方法】変更
【補正の内容】
【考案の詳細な説明】
【技術分野】
【０００１】
本考案は、所定の紙面に少なくとも観光ガイド情報を含む一又は二以上の観光ガイド表示部を表示してなる観光ガイドブックに関する。
【背景技術】
【０００２】
一般に、各地の観光名所等を案内するための観光ガイドブック（旅行ガイドブック）は各種発行されており、通常、旅行者は観光ガイドブックに掲載されている観光ガイド情報や地図情報を参考にして訪れたい場所を決めたり実際に訪れているのが実情である。
【０００３】
従来、このような観光ガイドブックとしては、特開２００５−３４５８６３号公報で開示されるガイドブックが知られている。このガイドブックは、複数のページを有するガイドブックであって、このガイドブックと幅の等しい幅の通常ページと、このガイドブックの縦方向と平行にのみ折りたたまれ収納されている、当該通常ページよりも幅の広い幅広ページとを有し、この幅広ページに、当該幅広ページを開いた場合に通常ページの幅よりも小口方向に離れた領域に、通常ページに記載された案内情報が案内する事物に係る地図が、当該案内情報と対応されて記載され、これにより、取り扱い性よく、全体図と各ページの地図とを同時に見渡せるようにしたものである。
【特許文献１】特開２００５−３４５８６３号
【考案の開示】
【考案が解決しようとする課題】
【０００４】
しかし、上述した従来のガイドブックは、次のような問題点があった。
【０００５】
第一に、本来ガイドブックは、旅行者が携帯することが多いため、ある程度の携帯性が確保されつつ、できるだけ情報量の多いことが望ましい。しかし、上述した従来のガイドブックでは、折りたたまれ収納されているページが含まれることから必ずしも取り扱い性がよいとは言えないとともに、携帯性も犠牲にならざるを得ない。しかも、ガイドブックを製作する際のコストアップ要因も無視できない。
【０００６】
第二に、基本的にはガイドブック上おける改善であるため、旅行者がガイドブックから得られる情報は限られ、特に、地図に関しては、案内情報と地図を同時に見渡せるように改善しても、新しい道路や新しい建物が頻繁に追加される現状では、その有効性においても限界があり、多機能性，利便性及び発展性において十分とは言えない。
【０００７】
本考案は、このような背景技術に存在する課題を解決した観光ガイドブックの提供を目的とするものである。
【課題を解決するための手段】
【０００８】
本考案は、上述した課題を解決するため、所定の紙面Ｐｎに少なくとも観光ガイド情報Ｆａ…を含む一又は二以上の観光ガイド表示部２ａ…を表示してなる観光ガイドブック１を構成するに際して、観光ガイド表示部２ａ…の角部に、ＱＲコードを表示するためのＱＲコード表示エリアＡａ…を設け、このＱＲコード表示エリアＡａ…に当該ＱＲコード表示エリアＡａ…を設けた観光ガイド表示部２ａ…に対応し、かつ少なくとも地図情報Ｆｍ…を含むガイド情報ＷＥＢサイト２１ａ…にアクセスするための固有のＱＲコード３ａ…をそれぞれ表示してなることを特徴とする。
【考案の効果】
【０００９】
このような構成を有する本考案に係る観光ガイドブック１によれば、次のような顕著な効果を奏する。
【００１０】
（１）  観光ガイド表示部２ａ…の角部に、この観光ガイド表示部２ａ…に対応し、かつ少なくとも地図情報Ｆｍ…を含むガイド情報ＷＥＢサイト２１ａ…にアクセスするための固有のＱＲコード３ａ…をそれぞれ表示してなるため、携帯電話等を利用して、観光ガイド表示部２ａ…（観光ガイドブック１）に表示されない他の詳細な観光ガイド情報や地図情報Ｆｍ…を容易に見ることができる。したがって、情報を掲載するに際して、異なる二つのメディアに振り分け可能になるため、各種情報量の飛躍的な拡大を実現できる。
【００１１】
（２）  情報を掲載するに際して、異なる二つのメディアに振り分け可能になることから、観光ガイドブック１自体の取扱性及び携帯性をより高めることができ、しかも、観光ガイドブック１を製作する際のコストダウンにも寄与できる。
【考案を実施するための最良の形態】
【００１２】
次に、本考案に係る最良の実施形態を挙げ、図面に基づき詳細に説明する。
【００１３】
まず、本実施形態に係る観光ガイドブック１の構成について、図１〜図３を参照して説明する。
【００１４】
観光ガイドブック１は、複数の紙葉が綴じられた一冊の本であり、図１に示すように、所定の紙面Ｐｎには、一又は二以上の観光ガイド表示部２ａ…を表示する。例示の場合、六つの観光ガイド表示部２ａ，２ｂ，２ｃ，２ｄ，３ｅ，２ｆが表示されており、各観光ガイド表示部２ａ，２ｂ…２ｆには、一又は二以上の写真，名称や説明文（ガイド文），時間・料金・問合先等の各種データからなる観光ガイド情報Ｆａ，Ｆｂ，Ｆｃ…Ｆｆが含まれる。
【００１５】
また、本考案に従って、各観光ガイド表示部２ａ，２ｂ…２ｆの右上角部に、ＱＲコードを表示するためのＱＲコード表示エリアＡａ，Ａｂ…Ａｅ，Ａｆを確保し、このＱＲコード表示エリアＡａ，Ａｂ…Ａｆに、それぞれ固有のＱＲコード３ａ…３ｆを表示する。各ＱＲコード３ａ…は、各ＱＲコード表示エリアＡａ…を設けた各観光ガイド表示部２ａ…に対応した固有のものであり、それぞれ固有のデータが記録されている。通常、観光ガイドブック１に掲載される一冊当たりの物件数（観光ガイド表示部２ａ…の数）は、４００〜８００件程度となるが、基本的に、ＱＲコード３ａ…は全ての観光ガイド表示部２ａ…に対応して設ける。
【００１６】
一方、ＱＲコード３ａ…は、図２に示すように携帯電話５５に内蔵するカメラ（デジタルカメラ）５５ｃにより撮影することができる。同図には、ＱＲコード３ａ…を携帯電話５５により撮影し、ＱＲコード３ａ…に記録されているデータを取り込んだ際の処理系５０を示している。５１はインターネットであり、このインターネット５１には、観光ガイド情報ＷＥＢサーバ（サーバコンピュータ）５２が接続されるとともに、地図情報ＷＥＢサーバ（サーバコンピュータ）５３が接続される。観光ガイド情報ＷＥＢサーバ５２には、多数のガイド情報ＷＥＢサイト２１ａ…に係わる情報データベース５２ｂが付属し、また、地図情報ＷＥＢサーバ５３には、地図情報地図情報ＷＥＢサイト２２に係わるデータベースが付属する。なお、その他、５６は携帯電話５５をインターネット５１に接続する基地局を示している。
【００１７】
次に、本実施形態に係る観光ガイドブック１の具体的な使用方法について、図１〜図３を参照しつつ図４に示すフローチャートに従って説明する。
【００１８】
まず、前述した観光ガイドブック１、即ち、図１に示すように、ＱＲコード３ａ…を設けた観光ガイドブック１を発行する（ステップＳ１）。したがって、利用者は、所定の観光ガイドブック１を購入し、例えば、観光旅行に行く際には、通常の観光ガイドブックと同様に携帯する。
【００１９】
今、利用者が観光ガイドブック１に掲載されている観光ガイド表示部２ａ…を見て、興味のある場所、例えば、食事をしようとして観光ガイドブック１に掲載されている人気のレストランを選んだ場合を想定する（ステップＳ２）。図２に示す観光ガイドブック１は、このレストランに係わる観光ガイド情報Ｆｎが表示された観光ガイド表示部２ｎを示している。なお、利用者は、この観光ガイド情報Ｆｎにより、お店の雰囲気や営業時間等のある程度の情報を得ることができる。
【００２０】
一方、利用者は、さらに、観光ガイド表示部２ｎの右上角部に表示されているＱＲコード３ｎを利用し、この観光ガイド表示部２ｎに対応する、より詳しい情報を容易に知ることができる。この場合、まず、利用者は、図２に示すように、携帯電話５５に内蔵するカメラ５５ｃによりＱＲコード３ｎを撮影する（ステップＳ３）。これにより、ＱＲコード３ｎに記録されているデータが携帯電話５５に取り込まれるとともに、対応するガイド情報ＷＥＢサイトにアクセスされる（ステップＳ４）。そして、携帯電話５５のディスプレイ５５ｄには、図３（ａ）に示す、対応するサイト画面２１ｎｖが表示される（ステップＳ５）。
【００２１】
このサイト画面２１ｎｖには、例えば、各種写真や詳細情報をはじめ、特に、観光ガイドブック１には掲載できない当日のスペシャルメニューや随時更新される口コミ情報等を閲覧することができる。また、サイト画面２１ｎｖには、対応する地図情報Ｆｍが表示される。例示する地図情報Ｆｍは、図３（ａ）に示すように、クリックすることによりアクセスされる地図情報ＷＥＢサイト２２に係わるリンク「リアル地図」２２Ｌｍである。したがって、利用者は、サイト画面２１ｎｖに表示されるリンク「リアル地図」２２Ｌｍをクリックする（ステップＳ６）。これにより、地図情報ＷＥＢサイト２２にアクセスされ、携帯電話５５のディスプレイ５５ｄには、図３（ｂ）に示す地図２２ｍが表示される（ステップＳ７，Ｓ８）。地図２２ｍには対応するレストランがランドマーク３１により表示されるとともに、表示される地図２２ｍは、ランドマーク３１の周辺地図となる。
【００２２】
よって、利用者は、この地図２２ｍを利用して目的のレストランまで行くことができる。ところで、本実施形態における地図情報Ｆｍは、観光ガイド情報ＷＥＢサーバ５２とは異なる地図情報ＷＥＢサーバ５３にアクセスし、この地図情報ＷＥＢサーバ５３における地図情報を利用している。地図情報に係わるサービス提供者は、通常、観光ガイド情報とは異なるサービス提供者となるため、地図情報ＷＥＢサイト２２を利用するメリット、例えば、随時更新される最新の地図情報や目的地へのナビゲーション機能などを利用できるメリットを享受でき、多機能性，利便性及び発展性をより高めることができる。
【００２３】
さらに、ＧＰＳ機能付の携帯電話５５を用いた場合には、図３（ｃ）に示すように、目的地までのナビゲーション機能Ｎａを利用することもできる。即ち、地図２２ｍに表示されているランドマーク（レストラン）３１にゴールマーク（目的地）３３を設定すれば、スタートマーク（現在地）３２からナビゲーションルート３４が表示されるため、このナビゲーションルート３４に従って、利用者は、音声等によりナビゲートされる（ステップＳ９，Ｓ１０）。
【００２４】
このように、本実施形態に係る観光ガイドブック１によれば、観光ガイド表示部２ａ…の一部に、この観光ガイド表示部２ａ…に対応し、かつ少なくとも地図情報Ｆｍ…を含むガイド情報ＷＥＢサイト２１ａ…にアクセスするための固有のＱＲコード３ａ…をそれぞれ表示してなるため、携帯電話等を利用して、観光ガイド表示部２ａ…（観光ガイドブック１）に表示されない他の詳細な観光ガイド情報や地図情報Ｆｍ…を容易に見ることができる。したがって、情報を掲載するに際して、異なる二つのメディアに振り分け可能になるため、各種情報量の飛躍的な拡大を実現しつつ、観光ガイドブック１自体の取扱性及び携帯性をより高めることができ、しかも、観光ガイドブック１を製作する際のコストダウンにも寄与できる。
【００２５】
以上、最良の実施形態について詳細に説明したが、本考案は、このような実施形態に限定されるものではなく、細部の構成，形状，数量等において、本考案の要旨を逸脱しない範囲で、任意に変更，追加，削除することができる。
【００２６】
例えば、観光ガイドブック１は、複数の紙葉が綴じられた一冊の本が基本となるが、紙葉の枚数は特に問わない。また、地図情報Ｆｍには、ガイド情報ＷＥＢサイトのサイト画面２１ｎｖに表示され、かつクリックすることによりアクセスされる地図情報ＷＥＢサイト２２に係わるリンク２２Ｌｍを利用する場合を例示したが、観光ガイド情報ＷＥＢサーバ５２から提供される提供される地図（地図情報）を利用してもよい。なお、携帯電話５５には、携帯情報端末（ＰＤＡ）やモバイルコンピュータ等の携帯用の各種コンピューティング装置を含む概念である。
【図面の簡単な説明】
【００２７】
【図１】本考案の最良の実施形態に係る観光ガイドブックにおける所定の紙面におけるレイアウト図、
【図２】同観光ガイドブックに設けたＱＲコードに記録されているデータを携帯電話に取り込んだ際の処理系を示す構成図、
【図３】同携帯電話のディスプレイに表示される画面図、
【図４】同観光ガイドブックの使用方法を説明するためのフローチャート、
【符号の説明】
【００２８】
１：観光ガイドブック，２ａ…：観光ガイド表示部，３ａ…：ＱＲコード，２１ａ…：ガイド情報ＷＥＢサイト，２１ｎｖ…：サイト画面，２２：地図情報ＷＥＢサイト，２２Ｌｍ：リンク，Ｐｎ：所定の紙面，Ａａ…：ＱＲコード表示エリア，Ｆａ…：観光ガイド情報，Ｆｍ：地図情報
【手続補正３】
【補正対象書類名】図面
【補正対象項目名】図１
【補正方法】変更
【補正の内容】
【図１】
0003136722.tif 000007